(57)【要約】      （修正有）【課題】容易かつ迅速に、大会参加者が試合の最終結果表を得られる画像形成システム及び画像形成装置を提供する。【解決手段】画像形成システムは、画像形成装置と情報処理装置を含む。画像形成装置と情報処理装置は、ネットワークにより通信可能に接続される。情報処理装置は、試合結果が未記入の結果表を含むデータである第１データを取得し、試合結果が手書きで記入された第１データの印刷物である手書き記入原稿の画像データである第２データを取得し、第２データのうち、手書き数字と、手書き数字の位置を認識し、手書き数字を所定のフォントに変換した数字を、第１データのうち、手書き数字に対応する位置に挿入して、試合結果が記入された結果表を含むデータである第３データを生成し、生成した第３データを画像形成装置に送信し、画像形成装置は、第３データを受信したとき、第３データに基づく印刷を行う。【選択図】図１３
2020071646.tif 000002
【特許請求の範囲】
【請求項１】
画像形成装置と情報処理装置を含み、
前記画像形成装置と前記情報処理装置はネットワークにより通信可能に接続され、
前記情報処理装置は、
試合結果が未記入の結果表を含むデータである第１データを取得し、
前記試合結果が手書きで記入された前記第１データの印刷物である手書き記入原稿の画像データである第２データを取得し、
前記第２データのうち、手書き数字と、前記手書き数字の位置を認識し、
前記手書き数字を所定のフォントに変換した数字を、前記第１データのうち、前記手書き数字に対応する位置に挿入して、前記試合結果が記入された前記結果表を含むデータである第３データを生成し、
生成した前記第３データを前記画像形成装置に送信し、
前記画像形成装置は、前記第３データを受信したとき、前記第３データに基づく印刷を行うことを特徴とする画像形成システム。
【請求項２】
前記画像形成装置は、
前記第３データに基づき印刷するための結果表印刷用シートを読み取ったとき、前記結果表印刷用シートに記された前記第３データの記憶場所に基づき、前記第３データを取得し、
取得した前記第３データに基づく印刷を行うことを特徴とする請求項１に記載の画像形成システム。
【請求項３】
前記画像形成装置は、
投入された金銭から実行した印刷ジョブに応じた料金を徴収する課金装置を含み、
課金不要コードを含む前記結果表印刷用シートを読み取った場合、料金徴収せずに取得した前記第３データに基づく印刷を行い、
前記課金不要コードを含まない前記結果表印刷用シートを読み取った場合、料金徴収してから取得した前記第３データに基づく印刷を行うことを特徴とする請求項２に記載の画像形成システム。
【請求項４】
前記第１データがトーナメント表を含むとき、
前記情報処理装置は、
取得した前記第２データのうち、手書きで引かれた勝ち抜き線を認識し、
前記第１データのうち、認識した前記勝ち抜き線に対応する線を強調して前記勝ち抜き線が記入された前記トーナメント表を含む第３データを生成することを特徴とする請求項１乃至３の何れか１項に記載の画像形成システム。
【請求項５】
印刷を行う印刷部と、
制御部と、を含み、
前記制御部は、
試合結果が未記入の結果表を含むデータである第１データを取得し、
前記試合結果が手書きで記入された前記第１データの印刷物である手書き記入原稿の画像データである第２データを取得し、
前記第２データのうち、手書き数字と、前記手書き数字の位置を認識し、
前記手書き数字を所定のフォントに変換した数字を、前記第１データのうち、前記手書き数字に対応する位置に挿入して、前記試合結果が記入された結果表を含むデータである第３データを生成し、
生成した前記第３データに基づく印刷を前記印刷部に行わせることを特徴とする画像形成装置。
【請求項６】
原稿を読み取って画像データを生成する画像読取部を含み、
前記画像読取部が前記第３データに基づき印刷するための結果表印刷用シートを読み取ったとき、
前記制御部は、
前記結果表印刷用シートに記された前記第１データと前記第２データの記憶場所に基づき、前記第１データと前記第２データを取得し、
取得した前記第１データと前記第２データに基づき前記第３データを生成し、
生成した前記第３データに基づく印刷を前記印刷部に行わせることを特徴とする請求項５に記載の画像形成装置。
【請求項７】
投入された金銭から実行した印刷ジョブに応じた料金を徴収する課金装置を含み、
前記制御部は、
課金不要コードを含む前記結果表印刷用シートを前記画像読取部が読み取った場合、料金徴収せずに前記第３データに基づく印刷を前記印刷部に行わせ、
前記課金不要コードを含まない、又は、無効な前記課金不要コードを含む前記結果表印刷用シートを前記画像読取部が読み取った場合、料金徴収してから前記第３データに基づく印刷を前記印刷部に行わせることを特徴とする請求項６に記載の画像形成装置。
【請求項８】
前記第１データがトーナメント表を含むとき、
前記制御部は、
前記第２データのうち、手書きで引かれた勝ち抜き線を認識し、
前記第１データのうち、認識した前記勝ち抜き線に対応する線を強調して前記勝ち抜き線が記入された前記トーナメント表を含む前記第３データを生成することを特徴とする請求項５乃至７の何れか１項に記載の画像形成装置。
【発明の詳細な説明】
【技術分野】
【０００１】
本発明は、画像形成装置、又は、情報処理装置と画像形成装置を含む画像形成システムに関する。
【背景技術】
【０００２】
アマチュアスポーツでは、競技大会が開催されることがある。スポーツに限らず、ゲームでも大会が開催されることがある。大会の運営に関する技術が特許文献１に記載されている。
【０００３】
具体的に、特許文献１には、トーナメント大会の進行状況、試合結果を記憶し、トーナメント大会に参加を希望する参加者の利用する参加者端末から参加受付と参加者を識別する参加者識別情報とを受信し、受信した参加者識別情報に基づいて、トーナメント表を作成し、ゲームのプログラム処理を実行するゲーム端末から試合結果を取得し、取得したゲーム結果に基づいて、トーナメント大会の進行状況と試合結果とを更新するトーナメント大会運営システムが記載されている。トーナメント大会の負担を減らそうとする（特許文献１：請求項１）。
【先行技術文献】
【特許文献】
【０００４】
【特許文献１】特開２００５−３１６８０７号公報
【発明の概要】
【発明が解決しようとする課題】
【０００５】
大会を運営する場合、通常、各試合の結果が参加者に知らされる。大規模で資金が多い大会では、大型スクリーンを利用して、誰でも容易に各試合の結果を確認できるようにすることがある。しかし、アマチュアスポーツや市町村レベルの大会では、通常、大規模な設備はない。また、インターネットのサイトに結果を書き込むことにより、結果を確認できるようにすることもある。しかし、インターネットを活用できる人材がいない場合がある。また、大会参加者の全てが、ノート型ＰＣや、タブレットのようなインターネットにアクセスするためのデバイスを所持しているわけではない。
【０００６】
アマチュアスポーツや市町村レベルの大会では、試合結果を手書きした用紙が貼り出されることが多い。例えば、トーナメント表や対戦表を含む用紙が貼り出される。試合が消化されるごとに、係員（大会関係者）が用紙に結果を書き込んでゆく。手作業で結果の公表がなされている。
【０００７】
コンピューターを利用して、全試合の最終結果表を作成する場合がある。この場合、大会関係者は手書きで結果（得点）が書き込まれた用紙（貼り出された用紙）を写して、結果をコンピューターに入力し、最終的な結果表が作成される。手書きの結果が転記される。各試合の最終結果表を作成するとき、入力ミスが生ずることがある。例えば、入力する数字を間違えることがある。試合数が多いほど、数字の入力ミスが含まれやすくなる。運営側の能力にも限界がある。そのため、最終結果表を作成作業が遅れることもある。この場合、最終結果表の配付、配信が遅くなる。大会参加者は、正確な数値が反映され、清書された大会の結果表を、迅速に得られない場合があるという問題がある。
【０００８】
尚、特許文献１記載の発明では、ネットワーク上で開催される大会に限定される。各参加者が自己のＰＣを所持していることが前提である。大規模な設備が必要であり、小規模な大会では採用が難しい。従って、上記の問題を解決するには不十分である。
【０００９】
本発明は、上記問題点を鑑み、大規模、高度な設備なしに、容易かつ迅速に、大会参加者が試合の最終結果表を得られるようにすることを課題とする。
【課題を解決するための手段】
【００１０】
本発明に係る画像形成システムは、画像形成装置と情報処理装置を含む。前記画像形成装置と前記情報処理装置はネットワークにより通信可能に接続される。前記情報処理装置は、試合結果が未記入の結果表を含むデータである第１データを取得する。前記情報処理装置は、前記試合結果が手書きで記入された前記第１データの印刷物である手書き記入原稿の画像データである第２データを取得する。前記情報処理装置は、前記第２データのうち、手書き数字と、前記手書き数字の位置を認識する。前記情報処理装置は、前記手書き数字を所定のフォントに変換した数字を、前記第１データのうち、前記手書き数字に対応する位置に挿入して、前記試合結果が記入された前記結果表を含むデータである第３データを生成する。前記情報処理装置は、生成した前記第３データを前記画像形成装置に送信する。前記画像形成装置は、前記第３データを受信したとき、前記第３データに基づく印刷を行う。
【００１１】
また、本発明に係る画像形成装置は、印刷を行う印刷部と、制御部と、を含む。前記制御部は、試合結果が未記入の結果表を含むデータである第１データを取得する。前記制御部は、前記試合結果が手書きで記入された前記第１データの印刷物である手書き記入原稿の画像データである第２データを取得する。前記制御部は、前記第２データのうち、手書き数字と、前記手書き数字の位置を認識する。前記制御部は、前記手書き数字を所定のフォントに変換した数字を、前記第１データのうち、前記手書き数字に対応する位置に挿入して、前記試合結果が記入された結果表を含むデータである第３データを生成する。前記制御部は、生成した前記第３データに基づく印刷を前記印刷部に行わせる。
【発明の効果】
【００１２】
本発明によれば、大会参加者は、手書きの結果表を読み取らせる作業を行うだけで、容易かつ迅速に、試合の結果表を得ることができる。大会参加者は、誤りなく清書された結果表を得ることができる。
【図面の簡単な説明】
【００１３】
【図１】実施形態に係る画像形成システムの一例を示す図である。
【図２】実施形態に係る画像形成装置の一例を示す説明図である。
【図３】実施形態に係る課金装置の一例を示す図である。
【図４】実施形態に係る情報処理装置の一例を示す図である。
【図５】実施形態に係る第１データの一例を示す図である。
【図６】実施形態に係る第１データの一例を示す図である。
【図７】実施形態に係る情報処理装置への第１データの登録の一例を示す図である。
【図８】実施形態に係る情報処理装置への第２データの登録の一例を示す図である。
【図９】実施形態に係る画像形成システムでの第３データの生成の流れの一例を示す図である。
【図１０】実施形態に係る第３データの一例を示す図である。
【図１１】実施形態に係る第３データの一例を示す図である。
【図１２】実施形態に係る結果表印刷用シートの印刷の一例を示す図である。
【図１３】実施形態に係る第３データの印刷の一例を示す図である。
【図１４】変形例に係る結果表印刷用シートの印刷の一例を示す図である。
【図１５】変形例に係る第３データに基づく印刷の一例を示す図である。
【発明を実施するための形態】
【００１４】
以下、本発明の実施形態、変形例に係る画像形成システム１００を図１〜図１５を用いて説明する。また、本説明では、画像形成装置１として、複合機を用いる場合を説明する。本実施形態の説明に記載されている構成、配置等の各要素は、発明の範囲を限定せず単なる説明例にすぎない。
【００１５】
（画像形成システム１００）
図１を用いて、実施形態に係る画像形成システム１００の一例を説明する。図１は、実施形態に係る画像形成システム１００の一例を示す図である。
【００１６】
図１に示すように、画像形成システム１００は、画像形成装置１と情報処理装置２を含む。画像形成装置１と情報処理装置２は、それぞれ複数台でもよい。便宜上、図１では、各装置をそれぞれ１台ずつ図示している。画像形成装置１と情報処理装置２は、ネットワーク３（インターネット）を介して、互いに通信できる。情報処理装置２は、例えば、ＰＣやサーバーである。情報処理装置２は大会運営者が使用する。
【００１７】
画像形成装置１は、例えば、試合会場や、大会本部前に設置することができる。なお、画像形成装置１の設置場所は、試合会場に限られない。例えば、コンビニエンスストアのような店舗に設置された画像形成装置１を用いることもできる。
【００１８】
（画像形成装置１）
次に、図２、図３を用いて、実施形態に係る画像形成装置１の一例を説明する。図２は実施形態に係る画像形成装置１の一例を示す説明図である。図３は実施形態に係る課金装置１５の一例を示す図である。
【００１９】
図１に示すように、画像形成装置１は制御部１０と第１記憶部１１を含む。制御部１０は画像形成装置１の各部を制御する。制御部１０は、制御回路１０ａと画像処理回路１０ｂを含む。制御回路１０ａは、例えば、ＣＰＵである。制御回路１０ａは制御に関する演算、処理を行う。画像処理回路１０ｂは、画像データの処理を行う。第１記憶部１１はＲＯＭ、ＲＡＭ、ＨＤＤのような記憶装置を含む。第１記憶部１１は制御用プログラムや各種データを記憶する。
【００２０】
画像形成装置１は操作パネル１２を含む。制御部１０は操作パネル１２と通信可能に接続される。操作パネル１２は、表示パネル１２ａ、タッチパネル１２ｂ、ハードキー１２ｃを含む。制御部１０は表示パネル１２ａの表示を制御する。制御部１０は、画面、画像を表示パネル１２ａに表示させる。例えば、制御部１０は操作用画像を表示させる。操作用画像は、例えば、ソフトキーやボタンである。タッチパネル１２ｂの出力に基づき、制御部１０は操作された操作用画像を認識する。また、制御部１０は操作されたハードキー１２ｃを認識する。ハードキー１２ｃとして、例えば、スタートキーが設けられる。スタートキーはジョブの実行開始を指示するためのキーである。このように、操作パネル１２は利用者の操作を受け付ける。制御部１０は、操作パネル１２でなされた設定操作の内容を認識する。また、操作された操作用画像やハードキー１２ｃに応じ、制御部１０は表示内容の切替を表示パネル１２ａに行わせる。制御部１０は設定どおりに動作するように画像形成装置１を制御する。
【００２１】
画像形成装置１は画像読取部１３を含む。画像読取部１３はセットされた原稿を読み取る。画像読取部１３は、原稿の画像データを生成する。例えば、原稿の画像データは、記憶部に記憶される。
【００２２】
また、画像形成装置１は印刷部１４を含む。印刷部１４は給紙部１４ａ、用紙搬送部１４ｂ、画像形成部１４ｃ、定着部１４ｄを含む。印刷ジョブのとき、制御部１０は用紙を１枚ずつ給紙部１４ａに供給させる。制御部１０は用紙搬送部１４ｂに用紙を搬送させる。制御部１０は、トナーを用いて、画像形成部１４ｃにトナー像を形成させる。制御部１０は、印刷用画像データに基づくトナー像を画像形成部１４ｃに形成させる。制御部１０は定着部１４ｄにトナー像を定着させる。制御部１０は、定着後（印刷後）の用紙の機外への排出を用紙搬送部１４ｂに行わせる。画像読取部１３の読み取りで得られた画像データに基づき、制御部１０は印刷部１４に印刷を行わせることができる（コピージョブ）。
【００２３】
また、画像形成装置１には課金装置１５が接続される。画像形成装置１と課金装置１５が通信可能に接続される。画像形成装置１と課金装置１５の接続には、通信ケーブルが用いられてもよい。課金装置１５は、投入口１５ａ、課金制御回路１５ｂ、ＲＯＭ１５ｃ、ＲＡＭ１５ｄ、機構部１５ｅを含む。投入口１５ａは金銭が投入される部分である。利用者は金銭を課金装置１５に投入する。ＲＯＭ１５ｃには、課金装置１５を制御するためのデータやプログラムが格納される。課金制御回路１５ｂは、例えば、ＣＰＵである。課金制御回路１５ｂは、課金装置１５を制御する上で必要なデータやプログラムをＲＯＭ１５ｃからＲＡＭ１５ｄに読み出す。課金制御回路１５ｂは課金装置１５の動作制御を行う。
【００２４】
機構部１５ｅは各種センサーを含む。各種センサーの出力は、課金制御回路１５ｂに入力される。機構部１５ｅは投入検知センサーを含む。投入検知センサーは金銭が投入されたことを認識する。投入検知センサーの出力に基づき、課金制御回路１５ｂは金銭投入を認識する。また、機構部１５ｅは、投入されたお金の種別を識別する種別センサーを含む。種別センサーの出力に基づき、課金制御回路１５ｂは新たに投入された金銭の額を認識する。
【００２５】
投入口１５ａに金銭が投入されたとき、課金制御回路１５ｂは、投入された金額を制御部１０に通知する。制御部１０は、現在の投入金額（残金）を第１記憶部１１に記憶させる。制御部１０は残金を管理する。制御部１０は、残金を表示パネル１２ａに表示させてもよい。
【００２６】
１ページのジョブ（例えば、コピージョブ）を開始するごとに（１枚給紙するごとに）、制御部１０は残金から料金を減らす。制御部１０は料金を徴収させる。残金が減ったとき、制御部１０は、減少後の残金を表示パネル１２ａに表示させてもよい。残金０円の場合、又は、実行するジョブに対し、残金が足りないとき、画像形成装置１は新たなジョブを開始しない。なお、１ページずつではなく、全ページのジョブが完了したとき、制御部１０は、全ページ分の料金を残金から減らしてもよい。制御部１０又は課金装置１５は、残金の返却（精算、払い戻し）の操作を受け付ける。返却操作がなされたとき、制御部１０は、金銭排出皿１５ｆに向けて、残金と同額の金銭を機構部１５ｅに排出させる。
【００２７】
画像形成装置１は第１通信部１６を含む。第１通信部１６は情報処理装置２と通信する。第１通信部１６はネットワーク３を介して情報処理装置２や情報処理装置２以外のコンピューター４と通信するためのコネクタや通信回路を含む。情報処理装置２、コンピューター４は、例えば、ＰＣやサーバーである。第１通信部１６は、情報処理装置２やコンピューター４とデータを送受信できる。なお、画像読取部１３の読み取りで得られた画像データに基づき、制御部１０は第１通信部１６に画像データの送信させ得る（送信ジョブ）。宛先は操作パネル１２で設定される。設定できる宛先には、電子メールアドレス、コンピューター４のアドレス、ファクシミリ番号がある。制御部１０は、設定された宛先に向けて、画像データを第１通信部１６に送信させる。
【００２８】
（情報処理装置２）
次に、図４を用いて、実施形態に係る情報処理装置２の一例を説明する。図４は、実施形態に係る情報処理装置２の一例を示す図である。
【００２９】
情報処理装置２は、処理部２０、第２記憶部２１、ディスプレイ２２、入力デバイス２３、第２通信部２４を含む。
【００３０】
処理部２０は複数の回路、素子を含む電子回路基板である。処理部２０は、例えば、ＣＰＵや画像処理用の回路を含む。第２記憶部２１はＯＳ、データ、プログラム、各種ソフトウェアを不揮発的に記憶する。第２記憶部２１はフラッシュＲＯＭ、ＨＤＤ、ＲＡＭを含む。処理部２０は、ＯＳ、データ、プログラム、各種ソフトウェアに基づき、情報処理装置２の動作を制御する。処理部２０は、第２記憶部２１の記憶内容に従って、情報処理装置２の各部を制御する。
【００３１】
処理部２０は、画面、情報をディスプレイ２２に表示させる。ディスプレイ２２は、例えば、液晶パネル又は有機ＥＬパネルを含む。入力デバイス２３は使用者の操作を受け付ける。入力デバイス２３は、例えば、キーボードやマウスである。入力デバイス２３はタッチパネル１２ｂでもよい。入力デバイス２３の出力に基づき、処理部２０は操作内容を認識する。
【００３２】
第２通信部２４は通信回路、通信用ソフトウェアを含む。第２通信部２４は処理部２０の指示に応じて画像形成装置１と通信する。また、第２通信部２４は、画像形成装置１以外の装置と通信できる。例えば、第２通信部２４は、コンピューター４や読取装置５と通信できる。読取装置５は、原稿を読み取り、原稿の画像データを生成する。読取装置５は、原稿の画像データを送信できる。
【００３３】
情報処理装置２の第２記憶部２１には、ソフトウェア２５がインストールされる。例えば、ワープロソフト、表計算ソフト、画像データ編集ソフト、ＯＣＲソフトのようなソフトウェア２５がインストールされる。使用者はソフトウェア２５を起動させる。使用者は入力デバイス２３を用いてデータ（ファイル）の作成、編集を行える。
【００３４】
（第１データＤ１の作成と登録）
次に、図５〜図７を用いて、実施形態に係る第１データＤ１の作成と登録の一例を説明する。図５、図６は、実施形態に係る第１データＤ１の一例を示す図である。図７は実施形態に係る情報処理装置２への第１データＤ１の登録の一例を示す図である。
【００３５】
大会運営者（作成者）は、第１データＤ１を作成する。作成者は、作成した第１データＤ１を所定の記憶場所に登録する。第１データＤ１は、試合結果が未記入の結果表Ｌ１を含むデータである。図５に示す第１データＤ１は、リーグ戦の結果（得点）が未記入の結果表Ｌ１を含む。大会がリーグ戦方式のとき、第１データＤ１は、試合結果（得点）が未記入のリーグ戦の表を含む。図６に示す第１データＤ１は、トーナメント戦の結果（得点）が未記入の結果表Ｌ１を含む。大会がトーナメント（勝ち抜き戦）方式のとき、第１データＤ１は、試合結果（得点）が未記入のトーナメント表を含む。
【００３６】
図７のスタートは、第１データＤ１（結果表Ｌ１を含むファイル）の登録を開始する時点である。作成者は、第１データＤ１を作成する（ステップ＃１１）。第１データＤ１の作成には、情報処理装置２を用いてもよい。第１データＤ１の作成には、情報処理装置２以外のコンピューター４を用いてもよい。例えば、大会運営者は、表計算ソフトウェア２５やワープロソフトウェア２５を用いて第１データＤ１を作成する。第１データＤ１は、例えば、ソフトウェア２５を用いて作成されるファイルといえる。
【００３７】
入力デバイス２３が第１データＤ１の保存コマンドの入力を受け付けたとき、情報処理装置２（処理部２０）又はコンピューター４は、第１データＤ１を不揮発的に記憶させる（ステップ＃１２→エンド）。作成者は保存先（記憶場所）を指定する。第１データＤ１の記憶場所は予め定められる。情報処理装置２（処理部２０）又はコンピューター４は、指定された記憶場所に第１データＤ１を記憶させる。
【００３８】
第１データＤ１の記憶場所は、画像形成装置１の第１記憶部１１でもよい。第１データＤ１の記憶場所は情報処理装置２の第２記憶部２１でもよい。また、第１データＤ１の記憶場所は、画像形成装置１や情報処理装置２以外のコンピューター４でもよい。
【００３９】
（第２データＤ２の登録）
次に、図８を用いて、実施形態に係る第２データＤ２の登録の一例を説明する。図８は実施形態に係る情報処理装置２への第２データＤ２の登録の一例を示す図である。
【００４０】
第２データＤ２は、手書き記入原稿の画像データである。大会運営者は、作成された第１データＤ１に基づく印刷を行っておく。印刷当初、印刷物には、得点、数字等の記入はされていない。大会関係者は、試合結果を手書き記入原稿に手書きで記入する。例えば、大会運営者の係の人が、第１データＤ１の印刷物に手書きで試合結果（数字）を書き込む。なお、第１データＤ１に基づく印刷には、画像形成装置１が使用されてもよい。また、画像形成装置１以外の画像形成装置１（プリンターや複合機）を用いて第１データＤ１の印刷がなされてもよい。
【００４１】
図８のスタートは、第２データＤ２（最終結果表Ｌ１）の登録を開始する時点である。大会運営者は、手書き記入原稿に基づき、第２データＤ２を作成する（ステップ＃２１）。具体的に、大会運営者は、スキャナーを持つ装置に手書き記入原稿を読み取らせる。スキャナーを持つ装置に、第２データＤ２を生成させる。第２データＤ２の作成には、画像形成装置１を用いてもよい。また、画像形成装置１以外の読取装置５を第２データＤ２の作成に用いてもよい。第２データＤ２は、手書き記入原稿をよみとって生成された画像データのファイルといえる。
【００４２】
大会運営者は、生成された第２データＤ２を不揮発的に記憶させる（ステップ＃２２→エンド）。大会運営者は、第２データＤ２を格納するための場所に第２データＤ２を保存する。第２データＤ２の記憶場所は予め定められる。大会運営者は、情報処理装置２、画像形成装置１、コンピューター４を操作して、所定の記憶場所に第２データＤ２を記憶させる。第２データＤ２の記憶場所は、画像形成装置１の第１記憶部１１でもよい。第２データＤ２の記憶場所は情報処理装置２の第２記憶部２１でもよい。また、第２データＤ２の記憶場所は、画像形成装置１や情報処理装置２以外のコンピューター４でもよい。
【００４３】
第１データＤ１と第２データＤ２を同じ装置に記憶させてもよい。画像形成装置１の第１記憶部１１は、第１データＤ１と第２データＤ２を記憶してもよい。また、情報処理装置２の第２記憶部２１が第１データＤ１と第２データＤ２の両方を記憶してもよい。また、特定のコンピューター４が第１データＤ１と第２データＤ２の両方を記憶してもよい。
【００４４】
（第３データＤ３の生成）
次に、図９を用いて、実施形態に係る画像形成システム１００での第３データＤ３の生成の一例を説明する。図９は、実施形態に係る画像形成システム１００での第３データＤ３の生成の流れの一例を示す図である。図１０、図１１は、実施形態に係る第３データＤ３の一例を示す図である。
【００４５】
実施形態に係る画像形成システム１００では、情報処理装置２が第３データＤ３を自動的に生成する。第３データＤ３は、試合結果（数字、得点）が記入された最終結果表Ｌ１を含むデータである。図４のスタートは、情報処理装置２の入力デバイス２３が第３データＤ３の生成コマンドを受け付けた時点である。
【００４６】
まず、情報処理装置２（入力デバイス２３）は、第１データＤ１の記憶場所の入力を受け付ける（ステップ♯３１）。入力デバイス２３は、第１データＤ１の記憶場所（アドレス、パス）とファイル名の指定（選択）を受け付ける。第１データＤ１が画像形成装置１に記憶されているとき、操作者は、画像形成装置１のアドレスや、第１データＤ１が保存されているフォルダー名や、第１データＤ１のファイル名を入力する。第１データＤ１が情報処理装置２に記憶されているとき、操作者は、情報処理装置２のアドレスや、第１データＤ１が保存されているファイル名や、第１データＤ１のファイル名を入力する。第１データＤ１がコンピューター４に記憶されているとき、操作者は、コンピューター４のアドレスや、第１データＤ１が保存されているフォルダー名や、第１データＤ１のファイル名を入力する。
【００４７】
次に、情報処理装置２（入力デバイス２３）は、第２データＤ２の記憶場所の入力を受け付ける（ステップ♯３２）。入力デバイス２３は、第２データＤ２の記憶場所（アドレス、パス）とファイルの指定（選択）を受け付ける。第２データＤ２が画像形成装置１に記憶されているとき、操作者は、画像形成装置１のアドレスや、第２データＤ２が保存されているフォルダー名や、第２データＤ２のファイル名を入力する。情報処理装置２に記憶されているとき、操作者は、記憶している情報処理装置２のアドレスや、第２データＤ２が保存されているファイル名や、第２データＤ２のファイル名を入力する。第２データＤ２がコンピューター４に記憶されているとき、操作者は、コンピューター４のアドレスや、第２データＤ２が保存されているフォルダー名や、第２データＤ２のファイル名を入力する。
【００４８】
情報処理装置２（処理部２０）は、入力された情報に基づき、第１データＤ１と第２データＤ２を第２通信部２４に取得させる（ステップ♯３３）。第２通信部２４は、ネットワーク３を介して第１データＤ１と第２データＤ２を取得する。
【００４９】
第１データＤ１と第２データＤ２を取得したとき、情報処理装置２（処理部２０）は、第２データＤ２を解析する（ステップ♯３４）。具体的に、処理部２０は、第２データＤ２のうち、手書き数字と、手書き数字の位置を認識する。処理部２０は、手書きで書かれた得点（数字）を認識する。
【００５０】
例えば、手書きに用いる筆記具の色（手書き色）が予め定められる。例えば、第１データＤ１の印刷物への記入には、赤色のペンを用いることが予め定められる。言い換えると、手書き色が予め定けられる。手書き色が赤色の場合、情報処理装置２（第２記憶部２１）は、赤色の画素値の範囲を定めたデータ（不図示）を記憶する。処理部２０は、第２データＤ２のうち、赤色の画素を手書き画素と認識する。
【００５１】
例えば、処理部２０は、手書き画素の輪郭線を定め、一定以上の長さを有する輪郭線と接する（囲う）矩形領域を手書き領域と認識する。処理部２０は、それぞれの手書き領域に、数字（０〜９）のテンプレートマッチングを行い、手書き領域に記入された数字（手書き数字）を認識する。また、処理部２０は、手書き領域の位置に基づき、手書き数字の位置も認識する。
【００５２】
認識結果に基づき、情報処理装置２（処理部２０）は、第３データＤ３を生成する（ステップ♯３５）。具体的に、処理部２０は、第１データＤ１をコピーする。また、処理部２０は、認識した手書き数字を所定のフォントに変換する。例えば、処理部２０は、ゴシック体のフォントを利用する。そして、処理部２０は、第１データＤ１のうち、手書き数字に対応する位置に所定のフォントに変換した数字を挿入する。これにより、処理部２０は、試合結果が記入された（清書された）結果表Ｌ１を含むデータである第３データＤ３を生成する。
【００５３】
そして、情報処理装置２（処理部２０）は、所定の記憶場所に生成した第３データＤ３を不揮発的に記憶させる（ステップ♯３６→エンド）。第３データＤ３の記憶場所は予め定められる。入力デバイス２３は、記憶場所の設定を受け付けてもよい。この場合、処理部２０は、設定された記憶場所に第３データＤ３を記憶させる。第３データＤ３の記憶場所は、画像形成装置１の第１記憶部１１でもよい。第３データＤ３の記憶場所は情報処理装置２の第２記憶部２１でもよい。また、第３データＤ３の記憶場所は、コンピューター４でもよい。
【００５４】
図１０、図１１は第３データＤ３の一例を示す。情報処理装置２（処理部２０）は、清書された数字（得点）が記入された第３データＤ３を生成する。これにより、大会の最終結果表Ｌ１が自動的に、転記ミスなく生成される。
【００５５】
さらに、図１１に示すように、第３データＤ３がトーナメント表を含むとき、手書きされた勝ち抜き線をトーナメント表に書き込んでもよい。情報処理装置２（処理部２０）は、取得した第２データＤ２のうち、手書きで引かれた勝ち抜き線を認識してもよい。例えば、処理部２０は、第２データＤ２のうち、手書き色であって、一定以上の長さを有する線を勝ち抜き線と認識する。第１データＤ１がトーナメント表を含むとき、処理部２０は、第１データＤ１のうち、認識した勝ち抜き線に対応する線を強調した第３データＤ３を生成してもよい。処理部２０は、勝ち抜き線が記入されたトーナメント表を含む第３データＤ３を生成してもよい。図１１は、勝ち抜き線が太く強調された第３データＤ３の一例を示す。
【００５６】
（第３データＤ３に基づく印刷）
次に、図１２、図１３を用いて、実施形態に係る画像形成システム１００での第３データＤ３に基づく印刷の一例を説明する。図１２は、実施形態に係る結果表印刷用シートの印刷の一例を示す図である。図１３は、実施形態に係る第３データＤ３の印刷の一例を示す図である。
【００５７】
画像形成装置１は、結果表印刷用シートを読み取ったとき、第３データＤ３に基づく印刷を行う。結果表印刷用シートは、第３データＤ３に基づく印刷を行うために印刷された用紙である。結果表印刷用シートは、大会参加者や最終結果表Ｌ１の印刷を希望する者に配られる。
【００５８】
図１２のスタートは、情報処理装置２の入力デバイス２３が結果表印刷用シートの印刷コマンドを受け付けた時点である。情報処理装置２（入力デバイス２３）は、第３データＤ３の記憶場所の入力を受け付ける（ステップ♯４１）。情報処理装置２（処理部２０）は、結果表印刷用シートを印刷させる（ステップ♯４２→エンド）。情報処理装置２は、画像形成装置１に結果表印刷用シートを印刷させてもよい。また、情報処理装置２は、画像形成装置１以外の印刷装置に結果表印刷用シートを印刷させてもよい。なお、結果表印刷用シートの印刷前、入力デバイス２３は、部数の設定を受け付けてもよい。この場合、情報処理装置２（処理部２０）は設定された部数の結果表印刷用シートを印刷させる。
【００５９】
例えば、情報処理装置２（処理部２０）は、第３データＤ３の記憶場所（アドレス、パス）と第３データＤ３のファイル名を結果表印刷用シート内に印刷させる。第３データＤ３が画像形成装置１（第１記憶部１１）に記憶されているとき、第３データＤ３が保存されているフォルダー名や、第３データＤ３のファイル名が結果表印刷用シートに印刷される。第３データＤ３が情報処理装置２（第２記憶部２１）に記憶されているとき、第３データＤ３を記憶する情報処理装置２のアドレスや、第３データＤ３が保存されているフォルダー名や、第３データＤ３のファイル名が結果表印刷用シートに印刷される。第３データＤ３がコンピューター４に記憶されているとき、第３データＤ３を記憶するコンピューター４のアドレスや、第３データＤ３が保存されているフォルダー名や、第３データＤ３のファイル名が結果表印刷用シートに印刷される。
【００６０】
大会運営者は、印刷した結果表印刷用シートを大会参加者に配付する。例えば、大会運営者は、チームの代表者に結果表印刷用シートを配付する。そのため、情報処理装置２は、配付対象者の名前を結果表印刷用シートに含めてもよい。この場合、情報処理装置２は、印刷された配付対象者名がそれぞれ異なる結果表印刷用シートを印刷させる。
【００６１】
さらに、結果表印刷用シートの印刷前、入力デバイス２３は、課金の有無を受け付けてもよい。課金無しの設定がなされたとき、情報処理装置２（処理部２０）は課金不要コードを含む結果表印刷用シートを印刷させる。課金不要コードは、例えば、数字やアルファベットを組み合わせた複数桁の記号列である。桁数は予め定められる。課金不要コードも予め定められる。
【００６２】
図１３に基づき、結果表印刷用シートに基づく第３データＤ３の印刷を説明する。図１３のスタートは、操作パネル１２が結果表印刷用シートに基づく印刷の開始操作を受け付けた時点である。
【００６３】
まず、制御部１０は、メッセージを表示パネル１２ａに表示させる（ステップ♯５１）。メッセージは、例えば、結果表印刷用シートを画像読取部１３にセットすべきこと伝える文字列と画像を含む。そして、制御部１０は、画像読取部１３に結果表印刷用シートを読み取らせる（ステップ♯５２）。第３データＤ３に基づき最終結果表Ｌ１を印刷するとき、結果表印刷用シートの所持者（被配布者）は、画像読取部１３に結果表印刷用シートをセットする。操作パネル１２のスタートボタンが操作されたとき、制御部１０は、画像読取部１３に読み取りを行わせる。そして、制御部１０は、結果表印刷用シートの画像データを画像読取部１３に生成させる（ステップ♯５３）。
【００６４】
制御部１０は、結果表印刷用シートの画像データを解析し、第３データＤ３の記憶場所やファイル名を認識する（ステップ♯５４）。例えば、制御部１０は、結果表印刷用シートの画像データについてＯＣＲ処理を行う。ＯＣＲ処理により、制御部１０は、第３データＤ３の記憶場所やファイル名を示す記号列（文字、数字、記号）を認識する。認識結果に基づき、制御部１０は、第３データＤ３の記憶場所やファイル名を認識する。
【００６５】
認識結果に基づき、制御部１０は、第３データＤ３を第１通信部１６に取得させる（ステップ♯５５）。例えば、制御部１０は、結果表印刷用シートに記述された記憶場所（アドレス、フォルダー）へのアクセスを第１通信部１６に行わせる。そして、制御部１０は、当該記憶場所に格納されたファイルのうち、結果表印刷用シートに記述されたファイル名と同じファイルをコピーする。
【００６６】
制御部１０は、取得した第３データＤ３に基づき、印刷用画像データを生成する（ステップ♯５６）。例えば、制御部１０は、第３データＤ３をページ記述言語で記述されたデータに変換する。さらに、制御部１０は、ページ記述言語で記述されたデータを変換し、ラスターデータ（ビットマップデータ）を生成する（ラスタライズ処理）。そして、制御部１０は、生成したラスターデータの画像処理を行って、印刷用画像データを生成する。
【００６７】
制御部１０は、課金不要コードが結果表印刷用シートに含まれているか否かを確認する（ステップ♯５７）。大会運営者は、正しい課金不要コードを予め画像形成装置１の第１記憶部１１に記憶させる。あるいは、制御部１０は、情報処理装置２やコンピューター４から正しい課金不要コードを第１通信部１６に取得させてもよい。ＯＣＲ処理により認識した記号列に基づき、制御部１０は、課金不要コードが結果表印刷用シートに含まれているか否かを確認する。制御部１０は、第１記憶部１１に記憶された課金不要コードと、認識した課金不要コードを比較し、正しい課金不要コードが結果表印刷用シートに含まれているか否かを確認する。
【００６８】
正しい課金不要コードが含まれているとき、制御部１０は、生成した印刷用画像データに基づく印刷を印刷部１４に行わせる（ステップ♯５８）。課金不要コードを含む結果表印刷用シートを読み取った場合、制御部１０は、料金徴収せずに取得した第３データＤ３に基づく印刷を印刷部１４に行わせる。
【００６９】
課金不要コードが含まれていないとき、又は、課金不要コードが正しくないとき、制御部１０は、印刷料金を課金装置１５に徴収させる（ステップ♯５９）。そして、フローはステップ♯５８に移行する。第３データＤ３に基づく印刷により、本フローは終了する（エンド）。なお、印刷料金は、第３データＤ３に基づく印刷に必要な費用である。課金装置１５に投入されている金額（残金）が印刷料金未満のとき、制御部１０は、必要な印刷料金と、課金装置１５に印刷料金を投入すべき旨を操作パネル１２に表示させる。
【００７０】
（変形例）
次に、図１４、図１５を用いて変形例を説明する。図１４は、変形例に係る結果表印刷用シートの印刷の一例を示す図である。図１５は、変形例に係る第３データＤ３に基づく印刷の一例を示す図である。
【００７１】
上述の実施形態では、第３データＤ３の生成を情報処理装置２が行う例を説明した。変形例では、第３データＤ３の生成を画像形成装置１が行う場合を説明する。画像形成システム１００、画像形成装置１及び情報処理装置２の構成については、変形例は、上述の実施形態と同様である。また、変形例と第１データＤ１の作成、保存（図７）と、第２データＤ２の作成保存（図８）についても、変形例は、上述の実施形態と同様である。画像形成装置１が第３データＤ３を作成するので、図９のフローチャートは適用されない。
【００７２】
まず、変形例での結果表印刷用シートの印刷を説明する。変形例でも、画像形成装置１は、結果表印刷用シートを読み取ったとき、第３データＤ３に基づく印刷がなされる。結果表印刷用シートは第３データＤ３に基づく印刷を行うために印刷された用紙である。変形例では、コマンドは、第３データＤ３の生成と印刷を指示するコマンドである。変形例でも、結果表印刷用シートは、大会参加者であって、最終結果表Ｌ１の印刷を希望する者に配られる。
【００７３】
図１４のスタートは、情報処理装置２の入力デバイス２３が結果表印刷用シートの印刷コマンドを受け付けた時点である。情報処理装置２（入力デバイス２３）は、第１データＤ１と第２データＤ２の記憶場所やファイル名の入力を受け付ける（ステップ♯６１）。そして、情報処理装置２（処理部２０）は、結果表印刷用シートを印刷させる（ステップ♯６２→エンド）。
【００７４】
情報処理装置２は、画像形成装置１に結果表印刷用シートを印刷させてもよい。また、情報処理装置２は、画像形成装置１以外の印刷装置に結果表印刷用シートを印刷させてもよい。なお、結果表印刷用シートの印刷前、入力デバイス２３は、部数の設定を受け付けてもよい。この場合、情報処理装置２（処理部２０）は設定された部数の結果表印刷用シートを印刷させる。
【００７５】
例えば、情報処理装置２は、第１データＤ１の記憶場所（アドレス、パス）と第２データＤ２の記憶場所（アドレス、パス）を結果表印刷用シートに印刷させる。また、情報処理装置２は、コマンドとして第１データＤ１のファイル名と第２データＤ２のファイル名を結果表印刷用シートに印刷させる。
【００７６】
例えば、第１データＤ１が画像形成装置１（第１記憶部１１）に記憶されているとき、第１データＤ１が保存されているフォルダー名や、第１データＤ１のファイル名が結果表印刷用シートに印刷される。第１データＤ１が情報処理装置２（第２記憶部２１）に記憶されているとき、第１データＤ１を記憶する情報処理装置２のアドレスや、第１データＤ１が保存されているフォルダー名や、第１データＤ１のファイル名が結果表印刷用シートに印刷される。第１データＤ１が情報処理装置２以外のコンピューター４に記憶されているとき、第１データＤ１を記憶するコンピューター４のアドレスや、第１データＤ１が保存されているフォルダー名や、第１データＤ１のファイル名が結果表印刷用シートに印刷される。大会運営者は、印刷した結果表印刷用シートを大会参加者に配付する。
【００７７】
例えば、第２データＤ２が画像形成装置１（第１記憶部１１）に記憶されているとき、第２データＤ２が保存されているフォルダー名や、第２データＤ２のファイル名が結果表印刷用シートに印刷される。第２データＤ２が情報処理装置２（第２記憶部２１）に記憶されているとき、情報処理装置２のアドレスや、第２データＤ２が保存されているフォルダー名や、第２データＤ２のファイル名が結果表印刷用シートに印刷される。第２データＤ２がコンピューター４に記憶されているとき、コンピューター４のアドレスや、第２データＤ２が保存されているフォルダー名や、第２データＤ２のファイル名が結果表印刷用シートに印刷される。
【００７８】
変形例でも、結果表印刷用シートの印刷前、入力デバイス２３は、課金の有無を受け付けてもよい。課金無しの設定がなされたとき、情報処理装置２（処理部２０）は課金不要コードを含む結果表印刷用シートを印刷させる。課金不要コードは、数字やアルファベットを組み合わせた複数桁（例えば、８桁以上）の記号列である。課金不要コードは予め定められる。
【００７９】
図１５に基づき、変形例での結果表印刷用シートに基づく第３データＤ３の印刷を説明する。図１５のスタートは、操作パネル１２が結果表印刷用シートに基づく印刷の開始操作を受け付けた時点である。
【００８０】
まず、制御部１０は、メッセージを表示パネル１２ａに表示させる（ステップ♯７１）。メッセージは、結果表印刷用シートを画像読取部１３にセットすべきこと伝える文字列と画像を含む。そして、制御部１０は、画像読取部１３に結果表印刷用シートを読み取らせる（ステップ♯７２）。画像形成装置１に第３データＤ３を生成させて最終結果表Ｌ１を印刷するとき、結果表印刷用シートの所持者（被配布者）は、画像読取部１３に結果表印刷用シートをセットする。操作パネル１２のスタートボタンが操作されたとき、制御部１０は、画像読取部１３に読み取りを行わせる。そして、制御部１０は、結果表印刷用シートの画像データを画像読取部１３に生成させる（ステップ♯７３）。
【００８１】
制御部１０は、結果表印刷用シートの画像データを解析し、第１データＤ１と第２データＤ２の記憶場所やファイル名を認識する（ステップ♯７４）。例えば、制御部１０は、結果表印刷用シートの画像データについてＯＣＲ処理を行う。ＯＣＲ処理により、制御部１０は、第１データＤ１と第２データＤ２の記憶場所やファイル名を示す記号列（文字、数字、記号）を認識する。認識結果に基づき、制御部１０は、第１データＤ１と第２データＤ２の記憶場所やファイル名を認識する。
【００８２】
認識結果に基づき、制御部１０は、第１データＤ１と第２データＤ２の両方を第１通信部１６に取得させる（ステップ♯７５）。例えば、制御部１０は、結果表印刷用シートに記述された記憶場所（フォルダー）へのアクセスを第１通信部１６に行わせる。そして、制御部１０は、当該記憶場所に格納されたファイルのうち、結果表印刷用シートに記述されたファイル名と同じファイルをコピーする。
【００８３】
第１データＤ１と第２データＤ２を取得したとき、画像形成装置１（制御部１０）は、第２データＤ２を解析する（ステップ♯７６）。具体的に、処理部２０は、第２データＤ２のうち、手書き数字と、手書き数字の位置を認識する。処理部２０は、手書きで書かれた得点（数字）を認識する。制御部１０は、情報処理装置２（処理部２０）と同様の処理を行って、認識する。
【００８４】
認識結果に基づき、画像形成装置１（制御部１０）は、第３データＤ３を生成する（ステップ♯７７）。具体的に、制御部１０は、第１データＤ１をコピーする。また、制御部１０は、認識した手書き数字を所定のフォントに変換する。例えば、制御部１０は、ゴシック体のフォントを利用する。そして、認識した手書き数字の位置に基づき、制御部１０は、第１データＤ１のうち、手書き数字に対応する位置に所定のフォントに変換した数字を挿入する。これにより、制御部１０は、試合結果が記入された（清書された）結果表Ｌ１を含むデータである第３データＤ３を生成する。
【００８５】
そして、制御部１０は、取得した第３データＤ３に基づき、印刷用画像データを生成する（ステップ♯７８）。例えば、制御部１０は、第３データＤ３をページ記述言語で記述されたデータに変換する。さらに、制御部１０は、ページ記述言語で記述されたデータを変換し、ラスターデータ（ビットマップデータ）を生成する（ラスタライズ処理）。そして、制御部１０は、生成したラスターデータの画像処理を行って、印刷用画像データを生成する。
【００８６】
制御部１０は、課金不要コードが結果表印刷用シートに含まれているか否かを確認する（ステップ♯７９）。大会運営者は、正しい課金不要コードを予め画像形成装置１の第１記憶部１１に記憶させる。ＯＣＲ処理により認識した記号列に基づき、制御部１０は、課金不要コードが結果表印刷用シートに含まれているか否かを確認する。制御部１０は、第１記憶部１１に記憶された課金不要コードと、認識した課金不要コードを比較し、正しい課金不要コードが結果表印刷用シートに含まれているか否かを確認する。
【００８７】
正しい課金不要コードが含まれているとき、制御部１０は、生成した印刷用画像データに基づく印刷を印刷部１４に行わせる（ステップ♯７１０）。課金不要コードを含む結果表印刷用シートを読み取った場合、制御部１０は、料金徴収せずに取得した第３データＤ３に基づく印刷を印刷部１４に行わせる。
【００８８】
課金不要コードが含まれていないとき、又は、課金不要コードが正しくないとき、制御部１０は、印刷料金を課金装置１５に徴収させる（ステップ♯７１１）。そして、フローはステップ♯７１０に移行する。第３データＤ３に基づく印刷により、本フローは終了する（エンド）。
【００８９】
このようにして、実施形態に係る画像形成システム１００は、画像形成装置１と情報処理装置２を含む。画像形成装置１と情報処理装置２はネットワーク３により通信可能に接続される。情報処理装置２は、試合結果が未記入の結果表Ｌ１を含むデータである第１データＤ１を取得する。情報処理装置２は、試合結果が手書きで記入された第１データＤ１の印刷物である手書き記入原稿の画像データである第２データＤ２を取得する。情報処理装置２は、第２データＤ２のうち、手書き数字と、手書き数字の位置を認識する。情報処理装置２は、手書き数字を所定のフォントに変換した数字を、第１データＤ１のうち、手書き数字に対応する位置に挿入して、試合結果が記入された結果表Ｌ１を含むデータである第３データＤ３を生成する。情報処理装置２は、生成した第３データＤ３を画像形成装置１に送信する。画像形成装置１は、第３データＤ３を受信したとき、第３データＤ３に基づく印刷を行う。
【００９０】
第１データＤ１と第２データＤ２を情報処理装置２に与えるだけで、試合結果が清書された第３データＤ３を得ることができる。第３データＤ３に基づき、数字が記入された最終結果表Ｌ１を印刷することができる。清書された試合の最終結果表Ｌ１を容易に得ることができる。手書きされた数字の値は解析され、得点に誤りがない試合の最終結果表Ｌ１を得ることができる。また、大会関係者は、試合の得点をコンピューター４に手入力する作業をしなくて済む。大会関係者の作業負担を減らすこともできる。
【００９１】
画像形成装置１は、第３データＤ３に基づき印刷するための結果表印刷用シートを読み取ったとき、結果表印刷用シートに記された第３データＤ３の記憶場所に基づき、第３データＤ３を取得する。画像形成装置１は、取得した第３データＤ３に基づく印刷を行う。結果表印刷用シートの読み取りを条件として、第３データＤ３に基づく印刷を行わせることができる。結果表印刷用シートを関係者（大会参加者）に配っておくことで、関係者のみに試合の結果表Ｌ１を印刷させることができる。
【００９２】
画像形成装置１は、投入された金銭から実行した印刷ジョブに応じた料金を徴収する課金装置１５を含む。課金不要コードを含む結果表印刷用シートを読み取った場合、画像形成装置１は料金徴収せずに取得した第３データＤ３に基づく印刷を行う。課金不要コードを含まない結果表印刷用シートを読み取った場合、画像形成装置１は、料金徴収してから取得した第３データＤ３に基づく印刷を行う。結果表印刷用シートに課金不要コードを付すことにより、無料で大会参加者に試合の結果表Ｌ１を印刷させることができる。また、結果表印刷用シートに有効な課金不要コードを付さないようにすることで、有料で試合の結果表Ｌ１を大会参加者に提供することができる。
【００９３】
第１データＤ１がトーナメント表を含むとき、情報処理装置２は、取得した第２データＤ２のうち、手書きで引かれた勝ち抜き線を認識する。情報処理装置２は、第１データＤ１のうち、認識した勝ち抜き線に対応する線を強調して勝ち抜き線が記入されたトーナメント表を含む第３データＤ３を生成する。勝ち抜き線が明記されたトーナメント表を含む最終結果表Ｌ１を印刷することができる。
【００９４】
変形例に係る画像形成装置１は、印刷を行う印刷部１４と、制御部１０と、を含む。制御部１０は、試合結果が未記入の結果表Ｌ１を含むデータである第１データＤ１を取得する。制御部１０は、試合結果が手書きで記入された第１データＤ１の印刷物である手書き記入原稿の画像データである第２データＤ２を取得する。制御部１０は、第２データＤ２のうち、手書き数字と、手書き数字の位置を認識する。制御部１０は、手書き数字を所定のフォントに変換した数字を、第１データＤ１のうち、手書き数字に対応する位置に挿入して、試合結果が記入された結果表Ｌ１を含むデータである第３データＤ３を生成する。制御部１０は、生成した第３データＤ３に基づく印刷を印刷部１４に行わせる。
【００９５】
この構成によれば、第１データＤ１と第２データＤ２を画像形成装置１に与えるだけで、試合結果が清書された第３データＤ３を得ることができる。第３データＤ３に基づき、結果が記入された結果表Ｌ１を印刷することができる。容易に清書された試合の結果表Ｌ１を得ることができる。手書きされた数字の値は解析され、得点に誤りがない試合の結果表Ｌ１を得ることができる。また、大会関係者は、試合の得点をコンピューター４に手入力する作業をしなくて済む。大会関係者の作業負担を減らすこともできる。
【００９６】
変形例に係る画像形成装置１は、原稿を読み取って画像データを生成する画像読取部１３を含む。画像読取部１３が第３データＤ３に基づき印刷するための結果表印刷用シートを読み取ったとき、制御部１０は、結果表印刷用シートに記された第１データＤ１と第２データＤ２の記憶場所に基づき、第１データＤ１と第２データＤ２を取得する。制御部１０は、取得した第１データＤ１と第２データＤ２に基づき第３データＤ３を生成する。制御部１０は、生成した第３データＤ３に基づく印刷を印刷部１４に行わせる。結果表印刷用シートの読み取りを条件として、第３データＤ３に基づく印刷を行わせることができる。結果表印刷用シートを関係者（大会参加者）に配っておくことで、関係者のみに試合の結果表Ｌ１を印刷させることができる。
【００９７】
変形例に係る画像形成装置１は、投入された金銭から実行した印刷ジョブに応じた料金を徴収する課金装置１５を含む。制御部１０は、課金不要コードを含む結果表印刷用シートを画像読取部１３が読み取った場合、料金徴収せずに第３データＤ３に基づく印刷を印刷部１４に行わせる。制御部１０は、課金不要コードを含まない結果表印刷用シートを画像読取部１３が読み取った場合、料金徴収してから第３データＤ３に基づく印刷を印刷部１４に行わせる。結果表印刷用シートに課金不要コードを付すことにより、無料で大会参加者に試合の結果表Ｌ１を印刷させることができる。また、結果表印刷用シートに有効な課金不要コードを付さないようにすることで、有料で試合の結果表Ｌ１を大会参加者に提供することができる。
【００９８】
第１データＤ１がトーナメント表を含むとき、制御部１０は、第２データＤ２のうち、手書きで引かれた勝ち抜き線を認識する。制御部１０は、第１データＤ１のうち、認識した勝ち抜き線に対応する線を強調して勝ち抜き線が記入されたトーナメント表を含む第３データＤ３を生成する。勝ち抜き線が明記されたトーナメント表を含む最終結果表Ｌ１を印刷することができる。
【００９９】
以上、本発明の実施形態について説明したが、本発明の範囲はこれに限定されるものではなく、発明の主旨を逸脱しない範囲で種々の変更を加えて実施することができる。
【産業上の利用可能性】
【０１００】
本発明は、画像形成装置又は画像形成システムに利用可能である。
【符号の説明】
【０１０１】
１００  画像形成システム            １      画像形成装置
１０    制御部                      １３  画像読取部
１４    印刷部                      １５    課金装置
２      情報処理装置                ３      ネットワーク
Ｄ１    第１データ                  Ｄ２    第２データ
Ｄ３    第３データ
【図１】
2020071646.tif 000003
【図２】
2020071646.tif 000004
【図３】
2020071646.tif 000005
【図４】
2020071646.tif 000006
【図５】
2020071646.tif 000007
【図６】
2020071646.tif 000008
【図７】
2020071646.tif 000009
【図８】
2020071646.tif 000010
【図９】
2020071646.tif 000011
【図１０】
2020071646.tif 000012
【図１１】
2020071646.tif 000013
【図１２】
2020071646.tif 000014
【図１３】
2020071646.tif 000015
【図１４】
2020071646.tif 000016
【図１５】
2020071646.tif 000017